【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
生体に注入される有効成分を含む液剤を収容する室、および前記室に流体連通し、前記液剤が放出される開口部とを有するハウジングと、
前記ハウジング内に配置されており、前記室とほぼ同一形状の端部を有するピストンと、
前記ピストンに取り付けられ、磁力に打ち勝って選択的に前記ピストンを前記ハウジングから離間させるアクチュエータと、
を備え、
前記ピストンに作用する前記アクチュエータの力が緩まると前記ピストンとハウジングが前記磁力によって互いに引き寄せられて、前記開口部を通して前記室から前記液剤が放出される注入装置。
【請求項２】
請求項１において、さらに、前記室を前記液剤で充填する注入口を備えた注入装置。
【請求項３】
請求項１において、前記アクチュエータは形状記憶合金で形成されており、電圧を印加されると、前記ピストンを前記ハウジングから離間させる方向に移動させ、
前記ピストンは前記アクチュエータから電圧が除去されると前記ハウジングの方向に移動する注入装置。
【請求項４】
請求項３において、前記アクチュエータが前記形状記憶合金からなる１本以上の繊維である注入装置。
【請求項５】
請求項３において、前記形状記憶合金がＮｉ−Ｔｉである注入装置。
【請求項６】
請求項３において、前記形状記憶合金が約１０ｍｍ〜２００ｍｍの長さを有する注入装置。
【請求項７】
請求項６において、前記形状記憶合金は、電圧が印加されると約０．５ｍｍ〜１０ｍｍ収縮する注入装置。
【請求項８】
請求項３において、前記形状記憶合金の構造は、電圧が印加されるとマルテンサイトからオーステナイトに相転移する注入装置。
【請求項９】
請求項３において、さらに、キャパシタを備え、このキャパシタが放電すると、電圧が前記アクチュエータに印加される注入装置。
【請求項１０】
請求項９において、前記キャパシタが約１００Ｊのエネルギー出力を有する注入装置。
【請求項１１】
請求項９において、前記キャパシタは少なくとも約１０Ｊのエネルギー出力を有する注入装置。
【請求項１２】
請求項１において、前記注入装置の最大注入圧力が約３００ＭＰａである注入装置。
【請求項１３】
請求項１において、前記注入装置の注入圧力が少なくとも１ＭＰａである注入装置。
【請求項１４】
請求項１において、前記注入装置が約１秒のサイクル時間を有する注入装置。
【請求項１５】
請求項１において、前記開口部が約５０μｍ〜２００μｍの直径を有する注入装置。
【請求項１６】
請求項１において、前記室がテーパ形状を有する注入装置。
【請求項１７】
請求項１において、前記液剤が薬剤である注入装置。
【請求項１８】
請求項１において、さらに、前記ピストンに取り付けられ、収縮性ポリマーで形成されたアクチュエータを備え、
前記アクチュエータは、電圧が印加されると、前記ピストンを前記ハウジングから離間させる方向に移動させ、前記ピストンは、電圧が除去されると前記ハウジングの方に移動する注入装置。
【請求項１９】
請求項１において、さらに、前記ピストンに取り付けられ、収縮材料で形成されたアクチュエータを備え、
前記アクチュエータは、電圧が印加されると前記ピストンを前記ハウジングから離間させる方向に移動させ、前記ピストンは、電圧が除去されると前記ハウジングの方に移動する注入装置。
【請求項２０】
磁力によって生成される張力を受ける形状記憶合金製の繊維と、
前記繊維に電圧を放電することで前記繊維を収縮させるキャパシタと、を備え、
前記繊維は、電圧が除去されると元の張力を受けた状態に戻るアクチュエータ。
【請求項２１】
請求項２０において、前記アクチュエータが形状記憶合金で形成される１本以上の繊維であるアクチュエータ。
【請求項２２】
請求項２０において、前記形状記憶合金がＮｉ−Ｔｉであるアクチュエータ。
【請求項２３】
請求項２０において、前記形状記憶合金が約１０ｍｍ〜２００ｍｍの長さを有するアクチュエータ。
【請求項２４】
請求項２３において、前記形状記憶合金は、電圧が印加されると約０．５ｍｍ〜ら１０ｍｍ収縮するアクチュエータ。
【請求項２５】
請求項２０において、前記形状記憶合金の構造は、電圧が印加されるとマルテンサイトからオーステナイトに相転移するアクチュエータ。
【請求項２６】
請求項２０において、前記キャパシタが約１００Ｊのエネルギー出力を有するアクチュエータ。
【請求項２７】
請求項２０において、前記キャパシタが少なくとも１０Ｊの容量を有するアクチュエータ。
【請求項２８】
生体に注入される有効成分を含む液剤を収容する室、および前記室と流体連通し、前記液剤が放出される開口部とを有するハウジングと、
前記ハウジング内に配置され、前記室とほぼ同一形状の端部を有するピストンと、
前記ピストンに取り付けられ、形状記憶合金で形成されるアクチュエータと、を備え、
前記ピストンとハウジングとが磁力によって互いに引き寄せられ、前記アクチュエータは、電圧が印加されると前記ピストンを前記ハウジングから離間させる方向に移動させ、前記ピストンは、電圧が除去されると前記ハウジングの方に移動することにより、前記開口部を通して液剤が前記室から放出される注入装置。
【請求項２９】
磁力によって生成される張力を受ける収縮材料と、
前記収縮材料に電圧を放電することで前記収縮材料を収縮させるキャパシタと、を備え、
前記収縮材料は、電圧が除去されると元の張力を受けた状態に戻るアクチュエータ。
【請求項３０】
請求項２９において、前記収縮材料が形状記憶合金であるアクチュエータ。
【請求項３１】
請求項２９において、前記収縮材料が収縮性ポリマーであるアクチュエータ。
【請求項３２】
有効成分を含む液剤を生体に注入する方法であって、
前記液剤が放出される開口部に流体連通しているハウジング内の室に前記液剤を収容し、
前記室とほぼ同一形状の端部を有するピストンを前記ハウジング内に配置し、
前記ハウジングと前記ピストンとの間に磁力を印加することにより、両者を引き寄せて接近させ、
前記ピストンが前記ハウジングの方に移動することにより、前記開口部を通して前記液剤を前記室から放出することを含む液剤注入方法。
【請求項３３】
請求項３２において、さらに、前記ハウジングの注入口を通して前記室に前記液剤を充填することを含む液剤注入方法。
【請求項３４】
請求項３２において、さらに、前記ピストンに取り付けられたアクチュエータに電圧を印加して、前記ピストンを前記ハウジングから離間させる方向に移動させ、
また、電圧を除去することにより、前記ピストンを前記ハウジングの方に移動させることを含む液剤注入方法。
【請求項３５】
請求項３４において、さらに、キャパシタを放電させて、前記アクチュエータに電圧を印加することを含む液剤注入方法。
【請求項３６】
請求項３５において、前記キャパシタが約１００Ｊのエネルギー出力を有する液剤注入方法。
【請求項３７】
請求項３５において、前記キャパシタが少なくとも１０Ｊのエネルギー出力を有する液剤注入方法。
【請求項３８】
請求項３４において、前記アクチュエータが形状記憶合金で形成される液剤注入方法。
【請求項３９】
請求項３８において、前記形状記憶合金がＮｉ−Ｔｉである液剤注入方法。
【請求項４０】
請求項３８において、前記形状記憶合金が約１０ｍｍ〜２００ｍｍの長さを有する液剤注入方法。
【請求項４１】
請求項４０において、前記形状記憶合金は、電圧が印加されると約０．５ｍｍ〜ら１０ｍｍ収縮する液剤注入方法。
【請求項４２】
請求項３８において、前記形状記憶合金の構造は、電圧が印加されるとマルテンサイトからオーステナイトに相転移する液剤注入方法。
【請求項４３】
請求項３２において、前記液剤が薬剤である液剤注入方法。
【請求項４４】
形状記憶合金で形成される繊維を作動させる方法であって、
磁力により前記繊維に張力を与え、
キャパシタを放電させることにより、前記繊維に電圧を印加して収縮させることを含み、
前記繊維は電圧が除去されると元の張力を受けた状態に戻る方法。
【請求項４５】
請求項４４において、前記キャパシタが約１００Ｊのエネルギー出力を有する方法。
【請求項４６】
請求項４４において、前記キャパシタが少なくとも１０Ｊのエネルギー出力を有する方法。
【請求項４７】
請求項４４において、前記繊維が形状記憶合金で形成される方法。
【請求項４８】
請求項４７において、前記形状記憶合金がＮｉ−Ｔｉである方法。
【請求項４９】
請求項４７において、前記形状記憶合金の長さが約１０ｍｍ〜２００ｍｍである方法。
【請求項５０】
請求項４９において、前記形状記憶合金は、電圧が印加されると約０．５ｍｍ〜１０ｍｍ収縮する方法。
【請求項５１】
請求項４７において、前記形状記憶合金の構造は、電圧が印加されるとマルテンサイトからオーステナイトに相転移する方法。
【請求項５２】
請求項１において、前記磁力は永久磁石によって得られる注入装置。
【請求項５３】
生体に物質を注入する注入装置であって、
前記注入される物質を収容する室と、
前記室に流体連通する開口部と、
駆動部材と、
前記駆動部材の移動を妨げた後、磁力により前記駆動部材を移動させて、前記開口部を通して前記室から前記物質を放出させるアクチュエータと、
を備えた注入装置。
【請求項５４】
請求項５３において、前記アクチュエータが形状記憶合金を備えている注入装置。
【請求項５５】
請求項５４において、前記アクチュエータは電圧が印加されると前記駆動部材を前記開口部から離間させる方向に移動させ、また電圧が除去されると前記駆動部材を前記開口部に向かって移動させる注入装置。
【請求項５６】
請求項５４において、前記アクチュエータが前記形状記憶合金からなる１本以上の繊維である注入装置。
【請求項５７】
請求項５３において、前記注入装置の注入圧力が１ＭＰａから３００ＭＰａの範囲である注入装置。
【請求項５８】
請求項５３において、前記注入装置の注入圧力が少なくとも１ＭＰａである注入装置。
【請求項５９】
請求項５３において、前記アクチュエータは収縮材料を備えており、電圧が印加されると前記駆動部材を前記開口部から離間させる方向に移動させ、また電圧が除去されると前記駆動部材を前記開口部に向かって移動させる注入装置。
【請求項６０】
請求項５３において、前記アクチュエータが前記駆動部材に取り付けられている注入装置。
【請求項６１】
請求項５３において、前記放出した物質が針無しで皮膚内に注入される注入装置。
【請求項６２】
請求項５３において、前記磁力が永久磁石によって得られる注入装置。
【請求項６３】
生体に物質を注入する注入装置であって、
注入される前記物質を収容する室と、
前記室に流体連通する開口部と、
駆動部材と、
前記駆動部材を移動させて、前記室から前記物質を放出させるのに十分な磁力を発生させる永久磁石と、
を備えた注入装置。
【請求項６４】
請求項６３において、前記駆動部材がピストンである注入装置。
【請求項６５】
請求項６４において、前記磁力が前記ピストンおよび前記開口部を互いに引き寄せると、前記物質が放出されて、針無しで皮膚内に注入される注入装置。
【請求項６６】
請求項６４において、さらに、前記永久磁石の磁力とは反対の方向に働く力を発生させて、前記ピストンおよび前記開口部が互いに引き寄せられるのを妨げ、また前記磁力によって前記ピストンおよび前記開口部が互いに引き寄せられるように、前記反対方向に働く力を減少させるアクチュエータを備えた注入装置。
【請求項６７】
生体に物質を注入する方法であって、
前記物質を室に収容し、
磁力を駆動部材に印加し、
前記駆動部材の移動を妨げた後、前記磁力により前記駆動部材を移動させて、開口部を通して前記室から前記物質を放出する、
注入方法。
【請求項６８】
請求項６７において、前記磁力が永久磁石によって得られる注入方法。
【請求項６９】
生体に物質を注入する方法であって、
前記物質を室に収容し、
永久磁石の磁力により駆動部材を移動させて、前記室から前記物質を放出させる、
注入方法。
【請求項７０】
磁力によって生成される張力を受ける収縮材料と、
前記収縮材料に電圧を印加することで前記収縮材料を収縮させるキャパシタと、
を備え、
前記収縮材料は、電圧が除去されると元の張力を受けた状態に戻るアクチュエータ。
【請求項７１】
請求項７０において、前記収縮材料が形状記憶合金であるアクチュエータ。
【請求項７２】
請求項７０において、前記収縮材料が収縮性ポリマーであるアクチュエータ。
【請求項７３】
請求項７０において、前記磁力が永久磁石によって得られるアクチュエータ。
【請求項７４】
形状記憶合金で形成される繊維を作動させる方法であって、
磁力により前記繊維に張力を与え、
キャパシタを放電させることにより、前記繊維に電圧を印加して収縮させることを含み、
前記繊維は電圧が除去されると元の張力を受けた状態に戻る方法。
【請求項７５】
請求項７４において、前記繊維が形状記憶合金である方法。
【請求項７６】
請求項７４において、前記磁力が永久磁石によって得られる方法。
【請求項７７】
生体に物質を注入する方法であって、
前記物質が放出される開口部に流体連通する、ハウジングの室に前記物質を収容し、
前記ハウジング内にピストンを配置し、
前記ピストンに磁力を印加して、該ピストンを前記開口部の方へ引き寄せ、
前記磁力に反する力により前記ピストンを前記開口部から離間させ、
前記ピストンが前記力から解放され、前記磁力により前記開口部に向かって移動するにつれ、前記開口部を通して前記室から前記物質を放出させる、
ことを含む方法。
【請求項７８】
請求項７７において、さらに、
前記ピストンに取り付けられたアクチュエータに電圧を印加して、前記ピストンを前記ハウジングから離間させる方向に移動させ、
前記電圧を除去して、前記ピストンを前記ハウジングの方へ移動させる、
ことを含む方法。
【請求項７９】
請求項７８において、前記アクチュエータが形状記憶合金からなる方法。
【請求項８０】
請求項７７において、前記放出された物質が針無しで前記生体内に注入される方法。
【請求項８１】
請求項７７において、前記磁力が永久磁石によって得られる方法。
【請求項８２】
物質を患者の皮膚内に注入する方法であって、
開口部を有する室内に前記物質を収容し、
注入装置を前記患者の皮膚近傍に配置し、
前記物質が前記患者の皮膚内に注入されるように、永久磁石によりピストンを移動させて前記物質を前記室から放出させる、
ことを含む方法。
【請求項８３】
請求項８２において、前記ピストンが前記物質を放出して該物質を針無しで前記患者の皮膚内に注入する方法。
【請求項８４】
請求項８２において、さらに、
前記永久磁石の磁力とは反対の方向に働く力を発生させて、前記ピストンおよび前記開口部が互いに引き寄せられるのを妨げ、
前記磁力によって前記ピストンおよび前記開口部が互いに引き寄せられるように、前記反対方向に働く力を減少させる、
ことを含む方法。
【手続補正２】
【補正対象書類名】明細書
【補正対象項目名】０００５
【補正方法】変更
【補正の内容】
【０００５】
【発明を解決するための手段】
本発明の１つの態様においては、注入装置は、生体に注入される有効成分を含む液体の薬剤を収容する室と、前記室に流体連通し、該薬剤が放出される開口部（出口）とを有するハウジングを含む。ピストンがハウジング内に配置されており、前記室とほぼ同一形状の端部を有する。また、注入装置は、前記ピストンに取り付けられ、磁力に打ち勝って選択的に前記ピストンを前記ハウジングから離間させるアクチュエータを含む。前記ピストンに作用する前記アクチュエータの力が緩まると、磁力によってピストンとハウジングとが互いに引き寄せられ、前記出口を通して室から薬剤が放出される。
【手続補正３】
【補正対象書類名】明細書
【補正対象項目名】０００６
【補正方法】変更
【補正の内容】
【０００６】
この態様の実施形態には、以下の特徴の１つ以上が含まれる。出口は、約５０μｍから２００μｍの直径を有し、前記室はテーパ形状でもよい。注入装置は、室を液剤で充填する注入口を含む。前記アクチュエータは形状記憶合金で製作される。このアクチュエータは、電圧を印加されると、ピストンをハウジングから離間させる方向に移動させる。電圧が除去されると、ピストンはハウジングの方に移動する。アクチュエータは、形状記憶合金から成る繊維であり、形状記憶合金はＮｉ−Ｔｉでもよい。形状記憶合金は、約１０ｍｍ〜２００ｍｍの長さを有し、電圧が印加されると約０．５ｍｍから１０ｍｍ収縮する。形状記憶合金の構造は、電圧が印加されるとマルテンサイトからオーステナイトに相転移する。